【手続補正書】
【提出日】平成20年1月10日(2008.1.10)
【手続補正１】
【補正対象書類名】明細書
【補正対象項目名】特許請求の範囲
【補正方法】変更
【補正の内容】
【特許請求の範囲】
【請求項１】  被認証者から辞書用データを取得する辞書用データ取得手段と、
この辞書用データ取得手段により取得された辞書用データを基に認証用の辞書を作成する辞書作成手段と、
この辞書作成手段により作成された辞書が記憶される辞書記憶手段と、
この辞書記憶手段に辞書が記憶された後、認証テストを行なうために、前記被認証者から認証テスト用データを取得する認証テスト用データ取得手段と、
この認証テスト用データ取得手段により取得された認証テスト用データおよび前記辞書記憶手段に記憶された辞書を用いて被認証者が本人であるか否かの認証テストを行なう認証テスト手段と、
この認証テスト手段により正しく本人と認証された場合、前記辞書用データ取得手段により取得された辞書用データと前記認証テスト用データ取得手段により取得された認証テスト用データを基に新たな辞書を再度作成し、これを正式な辞書として前記辞書記憶手段に記憶せしめる辞書再作成手段と、
被認証者が所持する物理的媒体に記録された認証データおよび被認証者の生体情報のうち少なくともいずれか一方と前記辞書記憶手段に記憶された辞書を用いて被認証者が本人であるか否かを認証する認証手段と、
を具備したことを特徴とする個人認証装置。
【請求項２】  前記認証テスト手段により正しく本人と認証されなかった場合には、前記辞書用データ取得手段以降の処理あるいは前記認証テスト用データ取得手段以降の処理を再度行なうことを特徴とする請求項１記載の個人認証装置。
【請求項３】  認証用の辞書を記憶している辞書記憶手段と、
被認証者が所持する物理的媒体に記録された認証データおよび被認証者の生体情報のうち少なくともいずれか一方と前記辞書記憶手段に記憶された辞書を用いて被認証者が本人であるか否かを認証する認証手段と、
この認証手段により被認証者が本人であると認証された際、前記辞書記憶手段に記憶された辞書を更新すべきか否かを判定する判定手段と、
この判定手段により辞書を更新すべきであると判定された場合には、当該認証時に取得された認証データに基づき前記辞書記憶手段に記憶された辞書を更新する辞書更新手段と、
この辞書更新手段により辞書を更新した際、その辞書更新結果を含む辞書更新履歴を記憶する辞書更新履歴記憶手段と、
前記認証手段により被認証者が本人であると認証された際、当該認証結果および前記辞書更新履歴記憶手段に記憶されている前回辞書更新時の辞書更新履歴を被認証者に対して表示する表示手段と、
を具備したことを特徴とする個人認証装置。
【請求項４】  前記辞書更新手段により辞書を更新した際、当該被認証者の少なくとも顔画像を取得する画像入力手段をさらに具備し、
前記辞書更新履歴として前記画像入力手段により取得された辞書更新を行なった際の被認証者の顔画像を含むことを特徴とする請求項３記載の個人認証装置。
【請求項５】  前記辞書更新履歴は、前回辞書更新を行なった際の被認証者の顔画像、辞書更新の日時および辞書更新の場所などで構成されることを特徴とする請求項４記載の個人認証装置。
【請求項６】  認証用の辞書を記憶している辞書記憶手段と、
被認証者が所持する物理的媒体に記録された認証データおよび被認証者の生体情報のうち少なくともいずれか一方と前記辞書記憶手段に記憶された辞書を用いて被認証者が本人であるか否かを認証する認証手段と、
この認証手段により被認証者が本人であると認証された際、前記辞書記憶手段に記憶された辞書を更新するか否かを被認証者に問合わせる案内手段と、
この案内手段による問合わせに対し被認証者が辞書を更新するか否かを選択する辞書更新選択手段と、
この辞書更新選択手段により被認証者が辞書更新するを選択したときだけ、当該認証時に取得された認証データに基づき前記辞書記憶手段に記憶された辞書を更新する辞書更新手段と、
を具備したことを特徴とする個人認証装置。
【請求項７】  認証用の辞書を記憶している辞書記憶手段と、
被認証者が所持する物理的媒体に記録された認証データおよび被認証者の生体情報のうち少なくともいずれか一方と前記辞書記憶手段に記憶された辞書を用いて被認証者が本人であるか否かを認証する第１の認証手段と、
この第１の認証手段により被認証者が本人であると認証されなかった場合、パスワードにより被認証者が本人であるか否かを認証する第２の認証手段と、
この第２の認証手段により被認証者が本人であると認証された際、その認証回数があらかじめ設定される所定値に達したか否かを判定する判定手段と、
この判定手段により認証回数が所定値に達したと判定された際、当該認証時に取得された認証データに基づき前記辞書記憶手段に記憶された辞書を更新する辞書更新手段と、
を具備したことを特徴とする個人認証装置。
【請求項８】  被認証者から辞書用データを取得する第１のステップと、
この第１のステップにより取得された辞書用データを基に認証用の辞書を作成し、この作成した辞書を辞書記憶手段に記憶せしめる第２のステップと、
前記辞書記憶手段に辞書が記憶された後、認証テストを行なうために、前記被認証者から認証テスト用データを取得する第３のステップと、
この第３のステップにより取得された認証テスト用データおよび前記辞書記憶手段に記憶された辞書を用いて被認証者が本人であるか否かの認証テストを行なう第４のステップと、
この第４のステップにより正しく本人と認証された場合、前記第１のステップにより取得された辞書用データと前記第３のステップにより取得された認証テスト用データを基に新たな辞書を再度作成し、これを正式な辞書として前記辞書記憶手段に記憶せしめる第５のステップと、
被認証者が所持する物理的媒体に記録された認証データおよび被認証者の生体情報のうち少なくともいずれか一方と前記辞書記憶手段に記憶された辞書を用いて被認証者が本人であるか否かを認証する第６のステップと、
を具備したことを特徴とする個人認証方法。
【請求項９】  認証用の辞書を記憶している辞書記憶手段を有し、
被認証者が所持する物理的媒体に記録された認証データおよび被認証者の生体情報のうち少なくともいずれか一方と前記辞書記憶手段に記憶された辞書を用いて被認証者が本人であるか否かを認証する第１のステップと、
この第１のステップにより被認証者が本人であると認証された際、前記辞書記憶手段に記憶された辞書を更新すべきか否かを判定する第２のステップと、
この第２のステップにより辞書を更新すべきであると判定された場合には、当該認証時に取得された認証データに基づき前記辞書記憶手段に記憶された辞書を更新する第３のステップと、
この第３のステップにより辞書を更新した際、その辞書更新結果を含む辞書更新履歴を記憶する第４のステップと、
前記第１のステップにより被認証者が本人であると認証された際、当該認証結果および前記第４のステップにより記憶されている前回辞書更新時の辞書更新履歴を被認証者に対して表示する第５のステップと、
を具備したことを特徴とする個人認証方法。
【請求項１０】  認証用の辞書を記憶している辞書記憶手段を有し、
被認証者が所持する物理的媒体に記録された認証データおよび被認証者の生体情報のうち少なくともいずれか一方と前記辞書記憶手段に記憶された辞書を用いて被認証者が本人であるか否かを認証する第１のステップと、
この第１のステップにより被認証者が本人であると認証された際、前記辞書記憶手段に記憶された辞書を更新するか否かを被認証者に問合わせる第２のステップと、
この第２のステップによる問合わせに対し被認証者が辞書を更新するか否かを選択する第３のステップと、
この第３のステップにより被認証者が辞書更新するを選択したときだけ、当該認証時に取得された認証データに基づき前記辞書記憶手段に記憶された辞書を更新する第４のステップと、
を具備したことを特徴とする個人認証方法。
【請求項１１】  認証用の辞書を記憶している辞書記憶手段を有し、
被認証者が所持する物理的媒体に記録された認証データおよび被認証者の生体情報のうち少なくともいずれか一方と前記辞書記憶手段に記憶された辞書を用いて被認証者が本人であるか否かを認証する第１のステップと、
この第１のステップにより被認証者が本人であると認証されなかった場合、パスワードにより被認証者が本人であるか否かを認証する第２のステップと、
この第２のステップにより被認証者が本人であると認証された際、その認証回数があらかじめ設定される所定値に達したか否かを判定する第３のステップと、
この第３のステップにより認証回数が所定値に達したと判定された際、当該認証時に取得された認証データに基づき前記辞書記憶手段に記憶された辞書を更新する第４のステップと、
を具備したことを特徴とする個人認証方法。